【手続補正書】
【提出日】平成18年6月13日(2006.6.13)
【手続補正１】
【補正対象書類名】特許請求の範囲
【補正対象項目名】全文
【補正方法】変更
【補正の内容】
【特許請求の範囲】
【請求項１】
像担持体に静電潜像を形成するために、前記像担持体を帯電する帯電部材と、
前記帯電部材に帯電電圧を印加する帯電電圧印加部と、
前記帯電部材により帯電された前記像担持体を露光して画像信号に応じた静電潜像を形成する露光部と、
前記像担持体に形成された前記静電潜像を現像してトナー像を形成する現像部と、
前記現像部により形成されたトナー像を、複数の記録材へ連続して転写する転写部と、
前記帯電電圧印加部が前記帯電部材に印加する帯電交流電圧を制御する制御部を有し、
前記制御部は、前記複数の記録材の搬送間隔が所定間隔より短い場合は、前記像担持体上の前記搬送間隔に相当する領域に対する前記帯電交流電圧を第１の帯電交流電圧とし、前記搬送間隔が前記所定間隔より長い場合は前記像担持体上の前記搬送間隔に相当する領域に対する前記帯電交流電圧を第２の帯電交流電圧として、
前記第２の帯電交流電圧を印加するときに前記帯電部材に流れる電流値を、前記第１の帯電交流電圧を印加するときに前記帯電部材に流れる電流値より低くすることを特徴とする画像形成装置。
【請求項２】
像担持体に静電潜像を形成するために、前記像担持体を帯電する帯電部材と、
前記帯電部材に帯電電圧を印加する帯電電圧印加部と、
前記帯電部材により帯電された前記像担持体を露光して画像信号に応じた静電潜像を形成する露光部と、
前記像担持体に形成された前記静電潜像を現像してトナー像を形成する現像部と、
前記現像部により形成されたトナー像を、複数の記録材へ連続して転写する転写部と、
前記転写部にてトナー像が転写された前記記録材へ前記トナー像を定着させる定着部と、
前記定着部により前記トナー像が定着された前記記録材の他の面にトナー像を転写すべく前記記録材を前記転写部へ搬送する両面搬送部と、
前記帯電電圧印加部が前記帯電部材に印加する帯電交流電圧を制御する制御部を有し、
前記制御部は、前記両面搬送部にて前記記録材を搬送させていない場合は前記帯電交流電圧を第１の帯電交流電圧とし、前記両面搬送部にて前記記録材を搬送させている場合は前記帯電交流電圧を第２の帯電交流電圧として、
前記第２の帯電交流電圧を印加するときに前記帯電部材に流れる電流値を、前記第１の帯電交流電圧を印加するときに前記帯電部材に流れる電流値より低くすることを特徴とする画像形成装置。
【請求項３】
像担持体に静電潜像を形成するために、前記像担持体を帯電する帯電部材と、
前記帯電部材に帯電電圧を印加する帯電電圧印加部と、
前記帯電部材により帯電された前記像担持体を露光して画像信号に応じた静電潜像を形成する露光部と、
前記像担持体に形成された前記静電潜像を現像してトナー像を形成する現像部と、
前記現像部により形成されたトナー像を、複数の記録材へ連続して転写する転写部と、
前記転写部にてトナー像が転写された前記記録材へ前記トナー像を定着させる定着部と、
前記複数の記録材を積載する記録材積載部から前記記録材を給紙する給紙部と、
前記定着部により前記トナー像が定着された前記記録材の他の面にトナー像を転写すべく前記記録材を前記転写部へ搬送する両面搬送部と、
前記帯電電圧印加部が前記帯電部材に印加する帯電交流電圧を制御する帯電交流電圧制御部と、
外部装置からの指示に基づいて、前記複数の記録材についての画像形成条件を記憶する記憶部とを有し、
前記制御部は、
前記両面搬送部にて前記記録材を搬送させていない場合は前記帯電交流電圧を第１の帯電交流電圧とし、
前記両面搬送部にて前記記録材を搬送させている場合であって、前記給紙部が前記記憶部に記憶された前記画像形成条件に基づいて前記記録材に引き続く次の記録材の給紙を行っている場合は前記帯電交流電圧を第２の帯電交流電圧として、
前記第２の帯電交流電圧を印加するときに前記帯電部材に流れる電流値を、前記第１の帯電交流電圧を印加するときに前記帯電部材に流れる電流値より低くすることを特徴とする画像形成装置。
【請求項４】
前記帯電部材に流れる電流値を検知する電流検知部を有し、前記制御部は、前記電流検知部が検知する前記電流値が一定の電流値となるよう前記帯電電圧印加部が印加する前記帯電交流電圧を制御することを特徴とする請求項１乃至３のいずれかに記載の画像形成装置。
【請求項５】
前記第１の帯電交流電圧は、前記一定の電流値を第１の電流値とすべく前記帯電電圧印加部が印加する帯電交流電圧であり、前記第２の帯電交流電圧は、前記一定の電流値を前記第１の電流値より低い第２の電流値とすべく前記帯電電圧印加部が印加する帯電交流電圧であることを特徴とする請求項４に記載の画像形成装置。
【請求項６】
前記所定間隔は、前記第１の電流値を前記第２の電流値に立ち下げるのに要する時間と、前記第２の電流値を前記第１の電流値に立ち上げるのに要する時間の合計時間であることを特徴とする請求項５に記載の画像形成装置。
【請求項７】
前記帯電電圧印加部は、前記像担持体を所定電位に帯電させるべく前記帯電交流電圧に帯電直流電圧を重畳した前記帯電電圧を印加することを特徴とする請求項１乃至６のいずれかに記載の画像形成装置。
【請求項８】
前記制御部は、前記両面搬送部にて前記記録材を搬送させている場合であって、前記記憶部に前記記録材に引き続き画像形成すべき記録材についての前記画像形成条件が記憶されていない場合は前記帯電交流電圧の印加を停止することを特徴とする請求項３に記載の画像形成装置。
【請求項９】
前記給紙部による給紙を前記像担持体の回転と同時に行わせるよう前記像担持体および前記給紙部を駆動する駆動部を有することを特徴とする請求項８に記載の画像形成装置。
【請求項１０】
前記駆動部は、前記両面搬送部にて前記記録材を搬送させている場合であって、前記記憶部に前記記録材に引き続き画像形成すべき記録材についての前記画像形成条件が記憶されていない場合は前記像担持体を回転させないことを特徴とする請求項９に記載の画像形成装置。
【請求項１１】
記録材の搬送間隔が異なる複数のプリントモードを有する画像形成装置であって、
像担持体と、
前記像担持体を帯電するための帯電部と、
前記帯電部に電圧を印加する帯電電圧印加部と、
複数の記録材上に前記像担持体上に形成された画像を転写する転写部と、
前記帯電電圧印加部によって前記帯電部に印加される電圧を設定する制御部を有し、
前記制御部は、前記プリントモードに応じて、前記記録材上に画像が形成されない期間に、前記記録材上に画像が形成される期間に設定される第１の電圧とは異なる第２の電圧を設定することを特徴とする画像形成装置。
【請求項１２】
前記第２の電圧は前記第１の電圧よりも低いことを特徴とする請求項１１に記載の画像形成装置。
【請求項１３】
前記プリントモードとは、前記記録材の両面に画像を形成するモードを含むことを特徴とする請求項１１又は１２に記載の画像形成装置。
【請求項１４】
前記プリントモードとは、前記記録材の種類に応じて前記搬送間隔が変更されるモードを含むことを特徴とする請求項１１又は１２に記載の画像形成装置。
【手続補正２】
【補正対象書類名】明細書
【補正対象項目名】００３３
【補正方法】変更
【補正の内容】
【００３３】
また、像担持体に静電潜像を形成するために、前記像担持体を帯電する帯電部材と、前記帯電部材に帯電電圧を印加する帯電電圧印加部と、前記帯電部材により帯電された前記像担持体を露光して画像信号に応じた静電潜像を形成する露光部と、前記像担持体に形成された前記静電潜像を現像してトナー像を形成する現像部と、前記現像部により形成されたトナー像を、複数の記録材へ連続して転写する転写部と、前記転写部にてトナー像が転写された前記記録材へ前記トナー像を定着させる定着部と、前記複数の記録材を積載する記録材積載部から前記記録材を給紙する給紙部と、前記定着部により前記トナー像が定着された前記記録材の他の面にトナー像を転写すべく前記記録材を前記転写部へ搬送する両面搬送部と、前記帯電電圧印加部が前記帯電部材に印加する帯電交流電圧を制御する帯電交流電圧制御部と、外部装置からの指示に基づいて、前記複数の記録材についての画像形成条件を記憶する記憶部とを有し、前記制御部は、前記両面搬送部にて前記記録材を搬送させていない場合は前記帯電交流電圧を第１の帯電交流電圧とし、前記両面搬送部にて前記記録材を搬送させている場合であって、前記給紙部が前記記憶部に記憶された前記画像形成条件に基づいて前記記録材に引き続く次の記録材の給紙を行っている場合は前記帯電交流電圧を第２の帯電交流電圧として、前記第２の帯電交流電圧を印加するときに前記帯電部材に流れる電流値を、前記第１の帯電交流電圧を印加するときに前記帯電部材に流れる電流値より低くする。
また、記録材の搬送間隔が異なる複数のプリントモードを有する画像形成装置であって、像担持体と、前記像担持体を帯電するための帯電部と、前記帯電部に電圧を印加する帯電電圧印加部と、複数の記録材上に前記像担持体上に形成された画像を転写する転写部と、前記帯電電圧印加部によって前記帯電部に印加される電圧を設定する制御部を有し、前記制御部は、前記プリントモードに応じて、前記記録材上に画像が形成されない期間に、前記記録材上に画像が形成される期間に設定される第１の電圧とは異なる第２の電圧を設定する。